(57)【要約】【課題】前面板と背面板とを対向させたとき、放電領域に発生する隔壁などの構造物の破損による放電の品質低下を防止することを目的とする。【解決手段】前面基板上に形成された複数の表示電極対と、表示電極対の間に平行に形成されたブラックストライプと、これらを覆う誘電体層を備えた前面板と、背面基板上に形成されたアドレス電極および放電空間を区画する隔壁を備えた背面板とを対向配置させたプラズマディスプレイパネルであって、前記背面板に形成された隔壁が、前記前面板の表示電極対に平行な横隔壁と、前記横隔壁に対して垂直かつ横隔壁よりも高い縦隔壁によって井桁形状を形成し、前記ブラックストライプの膜厚が前記前面板表示電極膜厚よりも厚い若しくは同等であることを特徴とする。【選択図】図４
2008258093.tif 000002
【特許請求の範囲】
【請求項１】
前面基板上に形成された複数の表示電極対と、表示電極対の間に平行に形成されたブラックストライプと、これらを覆う誘電体層を備えた前面板と、背面基板上に形成されたアドレス電極および放電空間を区画する隔壁を備えた背面板とを対向配置させたプラズマディスプレイパネルであって、前記背面板に形成された隔壁が、前記前面板の表示電極対に平行な横隔壁と、前記横隔壁に対して垂直かつ横隔壁よりも高い縦隔壁によって井桁形状を形成し、前記ブラックストライプの膜厚が前記前面板表示電極膜厚よりも厚い若しくは同等であることを特徴とするプラズマディスプレイパネル。
【請求項２】
前記ブラックストライプにより形成される突起部高さが前記前面板表示電極により形成される突起部高さよりも０〜２μｍ厚いことを特徴とする請求項１に記載のプラズマディスプレイパネル。
【請求項３】
前記前面板の表示電極対下部の突起部及びブラックストライプ下部の突起部が、前記背面板の隔壁と当接していることを特徴とする請求項１および請求項２に記載のプラズマディスプレイパネル。
【請求項４】
前記前面板ブラックストライプの線幅が前記背面板隔壁交差部に対応する箇所で太くなっていることを特徴とする請求項２および３に記載のプラズマディスプレイパネル。
【発明の詳細な説明】
【技術分野】
【０００１】
本発明は表示デバイスとして知られるプラズマディスプレイパネルに関するものである。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイなどの数多くのものがある。これらの表示デバイスの中でもプラズマディスプレイパネル（以下、「ＰＤＰ」と記す）は、自発光型で美しい画像表示ができ、大画面化が容易であるなどの理由から、視認性に優れた薄型表示デバイスとして注目されており、高精細化および大画面化に向けた開発が進められている。
【０００３】
ＰＤＰは表示電極、誘電体層、ＭｇＯによる保護層などの構成物を形成した前面板と、電極、隔壁、蛍光体層などの構成物を形成した背面板とを、内部に微小な放電セルを形成するように対向配置されるとともに、周囲を封着部材により封止されている。そして、その放電セルにネオン（Ｎｅ）およびキセノン（Ｘｅ）などを混合してなる放電ガスを例えば６６５００Ｐａ（約５００Ｔｏｒｒ）程度の圧力で封入している。
【０００４】
ここで前面板は、表示電極を覆って誘電体層を形成し、誘電体層を覆って保護層を形成しているが、表示電極としてその一部に膜厚の厚い金属電極を用いるために、表示電極位置の保護層が膨らみ前面板と背面板とを対向させたとき、この膨らんだ保護層の部分と隔壁とが局所的に接触する。このような状態でＰＤＰに振動や衝撃が加わると、保護層が接触している箇所の隔壁が一部欠損する場合があった。前面板の表示電極に対応する箇所の隔壁は個々の放電セルの放電領域近傍であるため、その放電セルの放電状態に影響したり、隣接する放電セルの誤放電、さらには蛍光体層上に隔壁の欠片が残ることによる発光時の点欠陥が発生していた。
【０００５】
この問題に対し、隔壁を２層構成とし、隔壁の上に酸化アルミニウム（Ａｌ2Ｏ3）を主成分とする黒色ポーラス層を緩衝材として形成し、隔壁の欠損を抑制する方法などが開示されている（例えば、特許文献１参照）。
【特許文献１】特開２００４−１５８３４５号公報
【発明の開示】
【発明が解決しようとする課題】
【０００６】
しかしながら、ＰＤＰの更なる高品質化、歩留まり向上を達成するためには、落下や振動に対する更なる隔壁の欠損抑制が必要となる。特に、近年の表示画像の高精細度化の要求に対して放電セルの微細化が要求されている。微細セルでの隔壁の欠損は放電セルでの発光挙動により大きく影響するとともに、隔壁自体の幅が狭くなることにより欠損しやすくなるといった課題を有している。そのため、表示画像の高精細度化に向けて、落下や衝撃に対して隔壁の欠損のないＰＤＰの実現が要望されている。
【０００７】
本発明はこれらの課題を解決して、隔壁欠損が少なく、高品質な表示画像のＰＤＰを実現することを目的とする。
【課題を解決するための手段】
【０００８】
上記の目的を達成するために、本発明のＰＤＰは、前面基板上に形成された複数の表示電極対と、表示電極対の間に平行に形成されたブラックストライプと、これらを覆う誘電体層を備えた前面板と、背面基板上に形成されたアドレス電極および放電空間を区画する隔壁を備えた背面板とを対向配置させたＰＤＰであって、前記背面板に形成された隔壁が、前記前面板の表示電極対に平行な横隔壁と、前記横隔壁に対して垂直かつ横隔壁よりも高い縦隔壁によって井桁形状を形成し、前記ブラックストライプの膜厚が前記前面板表示電極膜厚よりも厚い若しくは同等であることを特徴とする。
【０００９】
このような構成によれば、ブラックストライプ位置の保護層に突起部を生じ、背面板と前面板の当接箇所が表示電極上の他に、前面板ブラックストライプと背面板隔壁との交差部にも生じるため、従来外部からの衝撃時等に表示電極近傍に局所的にかかっていた力を分散することができる、もしくは放電領域での隔壁の欠損を防ぐことができ、放電セルでの発光挙動を阻害することなく高品質な画像表示を実現することができる。
【００１０】
さらに、前面板のブラックストライプ箇所にできる突起部の高さは前面板表示電極箇所突起部よりも０〜２μｍ高いことが望ましい。
【００１１】
さらに、本発明では、前面板ブラックストライプの線幅が背面板隔壁交差部に対応する箇所で太くなっていることを特徴とする。
【００１２】
このような構成によれば、前面板ブラックストライプ箇所の保護層突起部の突起面積が大きくなり、背面板隔壁との当接が安定化するために隔壁の欠損を抑制することができ、放電セルでの発光挙動を阻害することなく高品質な画像表示を実現することができる。また、この構成により発行箇所の開口率を下げることなく、外からの入射光、反射光を更に低減させることができ、高品質な画像表示を実現することができる。
【００１３】
以上のように、本発明のＰＤＰによれば、放電領域での隔壁の欠損を抑制して高品質の画像表示を実現するＰＤＰを提供することができる。
【発明の効果】
【００１４】
以上のように本発明によれば、ハイディフィニションテレビなどの高精細表示においても、高品質な画像表示が可能なＰＤＰを実現することができる。
【発明を実施するための最良の形態】
【００１５】
以下、本発明の実施の形態におけるＰＤＰについて、図面を用いて説明する。
【００１６】
（実施の形態）
図１から図４により、本実施の形態におけるＰＤＰの構成および特徴について説明する。まず、図１から図３により本発明のＰＤＰの主要構成について説明する。図１は、本発明の実施の形態におけるＰＤＰの概略構成を示す断面斜視図、図２は同ＰＤＰの背面板の構成を示す斜視図、図３は同ＰＤＰの画像表示部の構成を示す平面図、図４は同ＰＤＰの断面図である。
【００１７】
図１において、ＰＤＰ１０は、前面板２０と背面板３０とから構成され、前面板２０と背面板３０とは放電空間４０を形成するように対向配置されている。前面板２０は、フロート法により形成された硼珪素ナトリウム系ガラスなどの前面ガラス基板２１上に、走査電極２２と維持電極２３とで対をなすストライプ状の複数の表示電極２４が形成されている。また、隣接する表示電極２４の間には、光遮蔽部となるブラックストライプ２５が形成されている。また、表示電極２４とブラックストライプ２５とを覆って誘電体層２６が形成され、さらに誘電体層２６を覆って酸化マグネシウム（ＭｇＯ）からなる保護層２７が形成されている。
【００１８】
一方、背面板３０は、背面ガラス基板３１上に、前面板２０の表示電極２４と直交する方向にアドレス電極３２が形成され、アドレス電極３２を覆って下地誘電体層３３が設けられている。また、下地誘電体層３３上には、例えばストライプ状の隔壁３４が設けられ、隔壁３４の側面と下地誘電体層３３の表面には蛍光体層３５が設けられている。蛍光体層３５は隣接する隔壁３４によって仕切られた放電空間４０に、それぞれ赤色に発光する赤色蛍光体層３５Ｒ、緑色に発光する緑色蛍光体層３５Ｇ、青色に発光する青色蛍光体層３５Ｂが順に形成されている。
【００１９】
図２は本発明の実施形態における同ＰＤＰの背面板の構成を示す斜視図である。図２に示すように、ＰＤＰの隔壁３４は、表示電極２４と平行な横隔壁３４ｂと横隔壁３４ｂに直交する縦隔壁３４ａとにより井桁状に形成されており、縦隔壁３４ａは横隔壁３４ｂの高さよりも若干高くなるように形成される。また本発明のもう一つの背面板実施形態は、図２の横隔壁３４ｂを除いたストライプ状の隔壁を備えたものである。
【００２０】
前面板２０に設けられた表示電極２４を構成する走査電極２２および維持電極２３は、図４に示すように、それぞれ透明電極２２ａ、２３ａ、およびバス電極２２ｂ、２３ｂにより構成されている。バス電極２２ｂ、２３ｂはＣｒ／Ｃｕ／ＣｒまたはＡｇなどの材料からなり、それぞれ透明電極２２ａ、２３ａに電気的に接続されている。
【００２１】
以上の前面板２０と背面板３０とを、表示電極２４とアドレス電極３２とが直交し内部に微小な放電空間４０を形成するように隔壁３４を挟んで対向配置して、周囲を封着部材により封止する。その後、放電空間４０に、ＮｅおよびＸｅなどを混合した放電ガスを６６５００Ｐａ（５００Ｔｏｒｒ）程度の圧力で封入してＰＤＰを完成させ、表示電極２４に映像信号電圧を選択的に印加することによって放電ガスを放電させ、それによって発生した紫外線が各色の蛍光体層３５を励起して、赤色、緑色、青色の各色を発光させることによりカラー画像を表示する。
【００２２】
また、図３には、ＰＤＰ１０の画像表示部の構成を示す前面板２０側からみた平面図を示している。走査電極２２と維持電極２３は、マトリクス表示の各ラインにおいて、放電ギャップ５０を挟んで隣接するように列方向に交互に配列されている。また、隔壁３４によって区画され表示電極２４とアドレス電極３２とが直交する部分を中心とした方形の領域により、単位発光領域としての放電セル５１を構成している。放電セル５１は隣接する放電セル間が非放電領域５２ａ、５２ｂを形成し、前面板２０の保護層２７上のこの領域には画像表示時のコントラストを向上させる目的のブラックストライプ２５が形成されている。
【００２３】
一つの放電セル５１は、図２の背面板３０の構成に示すように、井桁状隔壁によって形成されている。すなわち、図３に示すように、アドレス電極３２と平行な縦隔壁３４ａと表示電極２４に平行な横隔壁３４ｂとによって放電空間となる放電セル５１が形成され、縦隔壁３４ａと横隔壁３４ｂとが交差する交差部Ｃは、非放電領域５２ａ、５２ｂの領域内に位置するようにしている。本発明の実施形態では、図３のように、横隔壁３４ｂとブラックストライプ２５が交差するＣの箇所でブラックストライプ２５の線幅が太くなるような構造を形成している。
【００２４】
この交差部の形成方法は、フォトリソグラフィ法等により形成し、図３のような形状になるようにマスクの設計を行い露光・現像を行う。
【００２５】
図４は、本発明の実施の形態におけるＰＤＰをアドレス電極３２と平行な線で断面とした場合の概略を示す断面図であり、下地誘電体層３３より下部と前面板２０の保護層２７を省略して示している。図４に示すように、表示電極２４の走査電極２２と維持電極２３を構成するバス電極２２ｂ、２３ｂは導電性を確保するために、透明電極２２ａ、２３ａに比べて膜厚が厚い厚膜形成法で形成されている。そのため、図４に示すように、その上を覆って形成した誘電体層２６や保護層２７が盛り上がり、表示電極２４の相当する位置に突起部８０ａが形成される。
【００２６】
したがって、従来技術では一般的に表示電極２４よりもブラックストライプ２５の方が膜厚を薄く形成するため、この突起部８０ａと縦隔壁３４ａのみで当接することになる。このような状態でＰＤＰ１０に落下時の衝撃や振動が加わると、突起部８０ａと接触する部分で局所的な力が加わり縦隔壁３４ａが欠損する原因となる。縦隔壁３４ａが欠損すると、欠損部を含む放電セル５１は電極上の放電領域が直接影響を受けて、放電が不安定になり、点滅や不灯など誤点灯が発生する可能性が高くなる。
【００２７】
一方、本実施の形態におけるＰＤＰ１０では、図４に示すように前面板２０のブラックストライプ２５の膜厚が表示電極２４の膜厚よりも厚くなるように形成し、これにより生じるブラックストライプ２５に相当する位置の突起部８０ｂでも背面板隔壁と当接するようにしている。これにより従来、表示電極２４に相当する位置の突起部８０ａにのみ加わっていた力を分散させることができ、縦隔壁３４ａの欠損を抑えることができる。
【００２８】
この構造を形成する方法として、表示電極２４にも遮光の目的から同材料を使用する場合には、一度フォトリソグラフィ法を用いて、表示電極２４およびブラックストライプ２５をパターニング後、再度ペースト塗布を行い、ブラックストライプ２５のみをパターニングし、厚膜を形成する方法がある。その他、表示電極２４の遮光材料とブラックストライプ２５に用いる材料が異なる場合は、それぞれ独立してパターニングを行えばよい。
【００２９】
これによりブラックストライプ２５により生じる突起部８０ｂと隔壁３４との接触面積が大きくなり、いずれの実施形態においても安定した当接を実現でき、隔壁３４の欠損を抑えることができる。ブラックストライプ２５の線幅が太くなる領域は、放電領域５１の開口率を下げないように、隔壁３４ａと交差する箇所に限定する。線幅に関しては、表示電極２４に近接していることが、接触面積を増加させると同時に遮光面積を増やす観点から望ましいが表示電極２４の設計位置により変動するため数値を限定するものではない。
【００３０】
また本実施の形態では、縦隔壁３４ａと横隔壁３４ｂよりなる井桁状の隔壁３４としているため、当該隔壁交差部では他部よりも耐衝撃性が高い。このため上述したように前面板２０との当接が隔壁交差部で行われる構成では、隔壁が欠損する確率も低下する。
【００３１】
そして、突起部８０ｂは突起部８０ａよりも０〜２μｍ高いことが望ましい。背面板３０の隔壁３４が井桁形状をなしている場合、横隔壁３４ｂと縦隔壁３４ａの交差部の形状が焼成収縮により凹形状となり、この凹形状部と隔壁３４の最高部との差がおよそ２μｍ程度となる。このため、この構造により前面板２０と背面板３０を対向配置した際に、隔壁交差部と８０ｂが当接する。一方突起部８０ｂは突起部８０ａとの高さの差が２μｍ以上である場合、隔壁３４と前面板２０との間隙が大きくなり、隣接放電セルとの誤放電であるクロストーク等の画像表示不具合が発生する可能性がある。
【００３２】
なお、突起部８０ｂと突起部８０ａとの差がない場合、前面板２０と隔壁３４とが当接する箇所が多くなり、従来かかっていた局所的な力を分散化させる効果も奏することができる。図５は本実施の形態のこの構成を示すＰＤＰ１０のアドレス電極に平行な断面図であり、図４と同様に下地誘電体層３３より下部を省略して示している。図５に示したように、背面板３０の隔壁３４が図２における横隔壁３４ｂを除いたストライプ型の隔壁３４形状の構成であり、同符号は図４と同じ部位を示す。
【００３３】
以上のように本発明は、前面基板上に形成された複数の表示電極対と、表示電極対の間に平行に形成されたブラックストライプと、これらを覆う誘電体層を備えた前面板と、背面基板上に形成されたアドレス電極および放電空間を区画する隔壁を備えた背面板とを対向配置させたＰＤＰであって、前記背面板に形成された隔壁が、前記前面板の表示電極対に平行な横隔壁と、前記横隔壁に対して垂直かつ横隔壁よりも高い縦隔壁によって井桁形状を形成し、前記ブラックストライプの膜厚が前記前面板表示電極膜厚よりも厚い若しくは同等であることを特徴とする。これによって、高精細化によって隔壁構造が微細化されても、隔壁欠損による画像表示不具合を低減させ、生産歩留まりを向上させることができる。
【産業上の利用可能性】
【００３４】
本発明のＰＤＰによれば、放電領域での隔壁の欠損を抑制して高品質の画像表示を実現するＰＤＰを提供することができ、大画面、高精細表示の画像表示装置などに有用である。
【図面の簡単な説明】
【００３５】
【図１】本発明の第１の実施の形態におけるＰＤＰの概略構成を示す断面斜視図
【図２】同ＰＤＰの背面板の構成を示す斜視図
【図３】同ＰＤＰの画像表示部の構成を示す平面図
【図４】同ＰＤＰのアドレス電極に平行な断面図
【図５】同ＰＤＰのアドレス電極に平行な断面図
【符号の説明】
【００３６】
１０  ＰＤＰ
２０  前面板
２１  前面ガラス基板
２２  走査電極
２３  維持電極
２２ａ，２３ａ  透明電極
２２ｂ，２３ｂ  バス電極
２４  表示電極
２５  ブラックストライプ
２６  誘電体層
２７  保護層
３０  背面板
３１  背面ガラス基板
３２  アドレス電極
３３  下地誘電体層
３４  隔壁
３４ａ  縦隔壁
３４ｂ  横隔壁
３５  蛍光体層
３５Ｒ  赤色蛍光体層
３５Ｇ  緑色蛍光体層
３５Ｂ  青色蛍光体層
４０  放電空間
５０  放電ギャップ
５１  放電セル
５２ａ，５２ｂ  非放電領域
８０ａ，８０ｂ  突起部
【図１】
2008258093.tif 000003
【図２】
2008258093.tif 000004
【図３】
2008258093.tif 000005
【図４】
2008258093.tif 000006
【図５】
2008258093.tif 000007